(57)【特許請求の範囲】
【請求項１】
煤粒子を含むガスが流れる上流側の大径パイプとガス測定装置が取り付けられた下流側の小径パイプとを接続するためのガス測定用のパイプ接続用コネクタであって、軸方向の前後両側に大径部及び小径部が連設され、それら大径部及び小径部の内部に前記大径パイプ及び小径パイプの挿入部が形成されているとともに、外側にそれぞれ雄ねじ部を有するコネクタ本体と、前記大径パイプ及び小径パイプの外側に設けられて前記コネクタ本体の両雄ねじ部に螺着される袋ナットと、前記大径パイプ及び小径パイプの外側にそれぞれ設けられて前記袋ナットの螺着に伴い大径パイプ及び小径パイプに付勢されて大径パイプ及び小径パイプをコネクタ本体に固定するリング形状のフェルールとを備えてなり、前記コネクタ本体の大径パイプ挿入部と小径パイプ挿入部の間に位置する内部通路が下流側ほど先細まりとなる形状に形成されているとともに、前記前後両側のパイプ挿入部には、これら挿入部に挿入された大径パイプ及び小径パイプの内径が先細まり形状の内部通路の上流端及び下流端の内径とそれぞれ一致するような段差が設けられており、大径パイプと小径パイプとの接続状態において、大径パイプから小径パイプへと至るまでのガス通路に段差を生じないように構成したことを特徴とするガス測定用のパイプ接続用コネクタ。
【発明の詳細な説明】
【０００１】
【発明の属する技術分野】
この発明は、例えば自動車排ガスなどの煤粒子を含むガスの測定に用いられるパイプ接続用コネクタに関する。
【０００２】
【従来の技術】
例えば、ディーゼルエンジンなどの内燃機関から排出されるガス中には、煤などの微粒子が含まれている。そして、前記ガスの成分元素などを測定する装置のサンプリングラインにおいて、上流側の大径パイプとガス測定装置が取り付けられた下流側の小径パイプとを接続する部分には、従来、図３に示すような構造のコネクタが用いられていた。すなわち、従来のコネクタＤ’は、コネクタ本体１４の鍔部１５よりも上流側の大径部１６の内部に大径パイプ７が、鍔部１５よりも下流側の小径部１７の内部に小径パイプ８がそれぞれ挿入され、それら大径部１６外側の雄ねじ部１６ａ及び小径部１７外側の雄ねじ部１７ａへの袋ナット１３及び１３´の螺着により大径パイプ７及び小径パイプ８の外側にそれぞれ設けられているリング形状のフロントフェルール９，９´およびバックフェルール１０，１０´が大径パイプ７及び小径パイプ８に付勢されて大径パイプ７及び小径パイプ８がコネクタ本体１４に固定されて両パイプ７，８が接続されており、大径パイプ７の内部を流れてきたガスが、コネクタ本体１４の内部通路１８´を経て、小径パイプ８の内部に至るように構成されている。また、コネクタ本体１４の内部通路１８´の径（以下内径という）は、小径パイプ８の内径とほぼ等しくなるように構成されていた。
【発明が解決しようとする課題】
【０００３】
しかし、上記の構成では、コネクタＤ’のコネクタ本体１４の内径が大径パイプ７の内径よりも小さくなることから、大径パイプ７の内部からコネクタＤ’の内側に向かってガスが流れる通路中に段差が形成されることになり、その段差部分１９に測定ガス中の煤粒子が付着する可能性がある。そして、前記煤粒子が段差部分１９にある程度付着した状態になると、少しの衝撃などで、付着した煤粒子が一斉に下流側のガス測定装置に流れ、測定結果に悪影響を与えるため、測定装置自体の信頼性が低下することとなる。
【０００４】
この発明は上述の事柄に留意してなされたもので、その目的は、煤粒子の付着を防止して、測定精度及び測定装置の信頼性を向上させることが可能なガス測定用のパイプ接続用コネクタを提供することにある。
【０００５】
【課題を解決するための手段】
上記目的を達成するために、この発明に係るガス測定用のパイプ接続用コネクタは、煤粒子を含むガスが流れる上流側の大径パイプとガス測定装置が取り付けられた下流側の小径パイプとを接続するためのガス測定用のパイプ接続用コネクタであって、軸方向の前後両側に大径部及び小径部が連設され、それら大径部及び小径部の内部に前記大径パイプ及び小径パイプの挿入部が形成されているとともに、外側にそれぞれ雄ねじ部を有するコネクタ本体と、前記大径パイプ及び小径パイプの外側に設けられて前記コネクタ本体の両雄ねじ部に螺着される袋ナットと、前記大径パイプ及び小径パイプの外側にそれぞれ設けられて前記袋ナットの螺着に伴い大径パイプ及び小径パイプに付勢されて大径パイプ及び小径パイプをコネクタ本体に固定するリング形状のフェルールとを備えてなり、前記コネクタ本体の大径パイプ挿入部と小径パイプ挿入部の間に位置する内部通路が下流側ほど先細まりとなる形状に形成されているとともに、前記前後両側のパイプ挿入部には、これら挿入部に挿入された大径パイプ及び小径パイプの内径が先細まり形状の内部通路の上流端及び下流端の内径とそれぞれ一致するような段差が設けられており、大径パイプと小径パイプとの接続状態において、大径パイプから小径パイプへと至るまでのガス通路に段差を生じないように構成したことを特徴としている。
【０００６】
上記の構成により、煤粒子の付着を防止することが可能なパイプ接続用コネクタの提供が可能となる。
【０００７】
【発明の実施の形態】
以下、この発明の実施例を、図を参照しながら説明する。
図１は、本発明の一実施例に係るガス測定用のパイプ接続用コネクタＤを用いて行う測定方法を概略的に示す図である。
４は、内燃機関であるディーゼルエンジンを搭載したディーゼル車１からの排ガスを導入路２から直接導入し、この排ガスをもう１つの導入路３から取り込んだ希釈ガス（例えばヘリウムガス）Ａによって希釈する希釈トンネルであり、その希釈トンネル４の下流部には、排ガス採取用ライン５を介して測定装置６が接続されている。そして、前記排ガス採取用ライン５において、上流側の大径パイプ７（図２参照）と下流側の小径パイプ８（図２参照）とを接続するために、パイプ接続用コネクタＤ（図２参照）が使用される。
【０００８】
図２は、上記パイプ接続用コネクタＤの構成を概略的に示す一部切断縦断面図であり、以下にパイプ接続用コネクタＤの構成について説明する。
【０００９】
大径パイプ７の外側の適宜の位置にはフロントフェルール９およびバックフェルール１０が、そして小径パイプ８の外側の適宜の位置にはフロントフェルール９’およびバックフェルール１０’がそれぞれ設けられている。
【００１０】
前記フロントフェルール９、９’はリング形状をしており、外側には前端に向かって細くなるテーパ面が形成されている。また、前記バックフェルール１０、１０’もリング形状をしているが、外側にはテーパ面ではなく、前側には大径部分１１、１１’が、そして後側には小径部分１２、１２’がそれぞれ設けられている。さらに、フロントフェルール９およびバックフェルール１０の内径は、大径パイプ７の外径とほぼ同じ大きさをしており、フロントフェルール９’およびバックフェルール１０’の内径は、小径パイプ８の外径とほぼ同じ大きさをしている。
【００１１】
前記バックフェルール１０およびフロントフェルール９は、上流側からこの順に、そしてそれぞれの前端が下流側に向かうように固定されており、また、フロントフェルール９’およびバックフェルール１０’は、上流側からこの順に、そしてそれぞれの前端が上流側に向かうように固定されている。
【００１２】
また、前記大径パイプ７の外側には、内側に雌ねじ部１３ａを有する袋ナット１３も設けられている。そして、前記小径パイプ８の外側にも、内側に雌ねじ部１３’ａを有する袋ナット１３’が同様に設けられている。
【００１３】
１４はコネクタ本体であり、鍔部１５と、この鍔部１５の前側に連設された大径部１６と、鍔部１５の後側に連設された小径部１７とから構成されている。そして、外側に雄ねじ部１６ａを有する大径部１６の内部には、前記大径パイプ７の挿入部１６ｂが形成され、外側に雄ねじ部１７ａを有する小径部１７の内部には、前記小径パイプ８の挿入部１７ｂが形成されている。
【００１４】
上記の構成からなるパイプ接続用コネクタＤを用いて大径パイプ７と小径パイプ８を接続するには、コネクタ本体１４の大径部１６の挿入部１６ｂおよび小径部１７の挿入部１７ｂに、それぞれ大径パイプ７および小径パイプ８を挿入し、袋ナット１３、１３’をそれぞれ雄ねじ部１６ａおよび雄ねじ部１７ａに螺着させるだけでよい。この螺着によって、前記フロントフェルール９、バックフェルール１０と、前記フロントフェルール９’、バックフェルール１０’が、それぞれ内側に付勢されて（かしめられて）、大径パイプ７及び小径パイプ８の外周面に圧接され、大径パイプ７と小径パイプ８がコネクタ本体１４に固定される。
【００１５】
そして、前記コネクタ本体１４の前記大径パイプ７の挿入部１６ｂと前記小径パイプ８の挿入部１７ｂの間に位置する内部通路１８が、下流側ほど先細まりとなる形状（たとえば円錐台形状）に形成されているとともに、前記前後両側のパイプ挿入部１６ｂ，１７ｂには、これら挿入部１６ｂ，１７ｂ挿入された大径パイプ７及び小径パイプ８の内径が前記内部通路１８の上流端及び下流端の内径とそれぞれ一致するように、各パイプ７，８の肉厚に相当する段差が設けられており、これによって、大径パイプ７と小径パイプとの接続状態において、大径パイプ７から小径パイプ８へと至るまでのガス通路に段差がほとんど生じず、煤粒子を含んだガスが流通しても、煤粒子が付着するのを防止することができる。
【００１６】
【発明の効果】
以上説明したように、本発明に係るガス測定用のパイプ接続用コネクタは、コネクタ本体を介して上流側の大径パイプと下流側の小径パイプとを接続した状態において、コネクタ本体の大径パイプ挿入部と小径パイプ挿入部の間に位置する内部通路が下流側ほど先細まりとなる形状で接続状態において、前記大径パイプから小径パイプへと至るまでのガス通路に段差を生じないように構成されているので、煤粒子を含むガスの測定時に煤粒子がコネクタ本体の内部通路部分に付着することを防止して、煤粒子を含むガスの流れを定常化でき、測定精度及び測定装置の信頼性を向上させることが可能となる。
【図面の簡単な説明】
【図１】  本発明の一実施例に係るガス測定用のパイプ接続用コネクタを用いて行う測定方法を概略的に示す図である。
【図２】  上記パイプ接続用コネクタの構成を概略的に示す一部切断縦断面図である。
【図３】  従来のパイプ接続用コネクタの構成を概略的に示す一部切断縦断面図である。
【符号の説明】
７…大径パイプ、８…小径パイプ、９，９´，１０，１０´…フェルール、１３，１３´…袋ナット、１４…コネクタ本体、１５…鍔部、１６…大径部、１７…小径部、１６ａ，１７ａ…雄ねじ部、１６ｂ，１７ｂ…パイプ挿入部、１８…内部通路、Ｄ…パイプ接続用コネクタ。
【図１】
0004253073.tif 000002
【図２】
0004253073.tif 000003
【図３】
0004253073.tif 000004